(57)【要約】【課題】簡単かつ安価に構成され、開成した状態でのデザイン性を向上させた蓋体を有する洗濯機を提供する。【解決手段】洗濯機の本体１と、本体１の上方を覆い洗濯物が出し入れされる開口部２ａを有する上部枠体２と、開口部２ａを開閉自在に覆う蓋体３とを備え、蓋体３は、表側の蓋飾り部（前蓋飾り部４ａ、後蓋飾り部５ａ）と裏側の蓋枠部（前蓋枠部４ｂ、後蓋枠部５ｂ）とを組み合わせて構成され、蓋枠部の露出面は、主要な面である第１の面部１０と、第１の面部１０の輪郭の外側に形成される面である第２の面部１１とを有し、第１の面部１０は幾何学模様のシボ加工が施され、第２の面部１１は第１の面部１０とは異なる形状のシボ加工が施されたものである。【選択図】図４
2016101316.tif 000002
【特許請求の範囲】
【請求項１】
洗濯機の本体と、前記本体の上方を覆い洗濯物が出し入れされる開口部を有する上部枠体と、前記開口部を開閉自在に覆う蓋体とを備え、
前記蓋体は、表側の蓋飾り部と裏側の蓋枠部とで構成され、
前記蓋枠部は、主要な面となる第１の面部と、前記第１の面部の輪郭の外側に形成される面である第２の面部とを有し、
前記第１の面部は幾何学模様のシボ加工が施され、前記第２の面部は前記第１の面部とは異なる形状のシボ加工が施された、
ことを特徴とする洗濯機。
【請求項２】
前記第１の面部は実質的に平面で形成され、
前記第２の面部は、前記第１の面部から連続する面取り部を含む面で形成された、
請求項１記載の洗濯機。
【請求項３】
前記第２の面部は、前記第１の面部が有するシボより凹凸が小さいシボを有する、
請求項１または２記載の洗濯機。
【請求項４】
前記第２の面部は、視覚的な模様を有さないシボを有する、
請求項１〜３のうちいずれか１項記載の洗濯機。
【請求項５】
前記第２の面部は、梨地またはサンドブラストによるシボを有する、
請求項１〜４のうちいずれか１項記載の洗濯機。
【発明の詳細な説明】
【技術分野】
【０００１】
本発明は、洗濯物を出し入れする開口部を開閉自在に覆う蓋体を備えた洗濯機に関する。
【背景技術】
【０００２】
従来の洗濯機は、大型化に伴って、前後に分割された蓋を相互に軸支して２つに折り畳み可能に構成された蓋体を備えている。蓋体は、洗濯中の衣類の動きが使用者に見えるように、透視材料で形成された窓を有し、洗濯機の上面に開閉自在に設けられている。
【０００３】
さらに、蓋体は、閉じた状態でのデザイン性を向上するために、上記の軸支構造や金型上の摺動の筋状の跡、補強のためのリブなどの構成が外部から見えないような構成となっている。また、デザイン性と合わせて強度を向上するために、窓の周囲を支持する枠体が、表側の飾り部材と、裏側の当て部材とで構成されている（例えば、特許文献１参照）。
【０００４】
図７と図８は、従来の洗濯機の斜視図である。図７は洗濯物が出し入れされる開口を開閉自在に覆う蓋体が閉成状態を示す図であり、図８は蓋体が開成状態を示す図である。図９は、従来の洗濯機の蓋体の側面断面図である。これらの図面に示されるように、本体１０１の上面を覆う上面カバー１０２の略中央部に開閉自在な蓋体１０３が設けられている。蓋体１０３は、前蓋体１０３ａと後蓋体１０３ｂとを前後のほぼ中央で軸支部１０７により折り畳み可能に構成されている。また、蓋体１０３は窓を備え、前蓋体１０３ａの前窓１０４ａと後蓋体１０３ｂの後窓１０４ｂとは透明材料で形成され、洗濯槽１０５の内部を視認可能にしている。また、前蓋体１０３ａに把手部１０６が形成されている。
【０００５】
図９に示されるように、前蓋体１０３ａと後蓋体１０３ｂとは、支持軸１０７ａと軸受部１０７ｂで構成される軸支部１０７で連結されている。前蓋体１０３ａは、透明材料の前窓１０４ａと、前窓１０４ａを支持する馬蹄形の前枠体１０８とで構成され、前枠体１０８に把手部１０６が形成されている。前枠体１０８は、表側の前飾り部１０８ａと、裏側の前蓋当て板１０８ｂとで構成されている。後蓋体１０３ｂは、透明材料の後窓１０４ｂと、中央に開口を有する後枠体１０９とで構成されている。後枠体１０９は、表側の後飾り部１０９ａと、裏側の後蓋当て板１０９ｂとで構成され、後窓１０４ｂの裏側から装着されている。なお、後蓋体１０３ｂは、後部（図９の右方向）に上面カバー１０２と連結される蓋軸支部（図示せず）を備えている。
【０００６】
使用者は、把手部１０６を上方に操作することで、蓋体１０３を開成することができる。使用者が把手部１０６を持ち上げつつ後方に押し込むと、蓋体１０３は、軸支部１０７で屈曲しつつ開成状態となる。これにより、使用者は、洗濯槽１０５に洗濯物を出し入れしたり、洗剤を投入したりすることが可能になる。なお、蓋体１０３が折り畳まれることにより、洗濯機の大型化に伴って蓋体１０３が大きくなっても、開成するときの高さが高くなりすぎないため操作性が低下することがない。また、蓋体１０３が開成されるときに、洗濯機の設置場所の上方の空間がそれほど必要とならず、棚や乾燥機が設置されていても干渉することがない。
【先行技術文献】
【特許文献】
【０００７】
【特許文献１】特開２０１１−２００２７４号公報
【発明の概要】
【発明が解決しようとする課題】
【０００８】
このような従来の蓋体では、軸支構造や金型上の摺動の筋状の跡、補強のためのリブなどの構成が蓋体の裏側の部材にほどこされており、蓋体を開けた状態でのデザイン性を向上させることが困難である。また、前蓋当て板や後蓋当て板の露出面は、洗濯機の内側となる蓋体の裏面であり、この裏面には特に装飾的な配慮はなされていなかった。
【０００９】
しかしながら、近年は蓋体の裏側で目立たないところであっても、デザイン性を向上させて高級感を持たせたり、滑り止めなどの機能を追加したりすることが要望されてきている。とはいうものの、デザイン性を向上させるために蓋体の裏側の部材に装飾を目的とした部材を追加することは、部品の追加によってコストが増大してしまうという課題があった。
【００１０】
本発明は、上記従来の課題を解決するもので、簡単かつ安価に構成され、開成した状態でのデザイン性を向上させた蓋体を有する洗濯機を提供することを目的とする。
【課題を解決するための手段】
【００１１】
本発明は上記目的を達成するために、洗濯機の本体と、前記本体の上方を覆い洗濯物が出し入れされる開口部を有する上部枠体と、前記開口部を開閉自在に覆う蓋体とを備え、前記蓋体は、表側の蓋飾り部と裏側の蓋枠部とを組み合わせて構成され、前記蓋枠部の露出面は、主要な面である第１の面部と、前記第１の面部の輪郭の外側に形成される面である第２の面部とを有し、前記第１の面部は幾何学模様のシボ加工が施され、前記第２の面部は前記第１の面部とは異なる形状のシボ加工が施されたものである。これによって、蓋体の裏側に幾何学模様の装飾が施されてデザイン性が向上し、その周囲の部分には異なる形状のシボ加工が施されて幾何学模様のシボ加工面が強調されてより高級感を発揮する。また、滑り止めの機能を有することができる。また、裏面のデザイン性が優れた蓋体を簡単かつ安価に構成することができる。
【発明の効果】
【００１２】
本発明によれば、部品点数の追加によってコストが増大をすることなく、簡単かつ安価に構成され、開成した状態でのデザイン性を向上させた蓋体を有する洗濯機を提供することができる。
【図面の簡単な説明】
【００１３】
【図１】本発明の実施の形態１における洗濯機の上部の斜視図
【図２】本実施の形態における洗濯機の上部の斜視図
【図３】本実施の形態における洗濯機の蓋体の分解斜視図
【図４】本実施の形態における洗濯機の蓋の蓋枠部の下面の平面図
【図５】図２のＡ−Ａ断面図
【図６】本実施の形態における洗濯機の蓋枠部に施されたシボの説明図
【図７】従来の洗濯機の斜視図
【図８】従来の洗濯機の斜視図
【図９】従来の洗濯機の蓋体の側面断面図
【発明を実施するための形態】
【００１４】
第１の発明の洗濯機は、洗濯機の本体と、前記本体の上方を覆い洗濯物が出し入れされる開口部を有する上部枠体と、前記開口部を開閉自在に覆う蓋体とを備え、前記蓋体は、表側の蓋飾り部と裏側の蓋枠部とを組み合わせて構成され、前記蓋枠部の露出面は、主要な面となる第１の面部と、前記第１の面部の輪郭の外側に形成される面である第２の面部とを有し、前記第１の面部は幾何学模様のシボ加工が施され、前記第２の面部は前記第１の面部とは異なる形状のシボ加工が施されたものである。
【００１５】
これによって、蓋体の裏側に幾何学模様の装飾が施されてデザイン性が向上し、その周囲の部分には異なる形状のシボ加工が施されて幾何学模様のシボ加工面が強調されてより高級感を発揮する。また、滑り止めの機能を有することができる。また、裏面のデザイン性が優れた蓋体を簡単かつ安価に構成することができる。
【００１６】
第２の発明は、特に、第１の発明において、前記第１の面部は、実質的に平面で形成され、前記第２の面部は、前記第１の面部から連続する面取り部を含む面で形成されたものである。これによって、第１の面部から第２の面部にかけて異なるシボが連続的に形成され、より一層幾何学模様のシボが強調されるため、デザイン性をより向上させることができる。
【００１７】
第３の発明は、特に、第１または第２の発明において、前記第２の面部は、前記第１の面部が有するシボより凹凸が小さいシボを有するものである。これによって、第１の面部の幾何学模様のシボの立体感が強調されるため、デザイン性をより向上させることができる。
【００１８】
第４の発明は、特に、第１から第３のいずれかの発明において、前記第２の面部は、視覚的な模様を有さないシボを有するものである。これによって、第１の面部の幾何学模様のシボの模様が強調されるため、デザイン性をより向上させることができる。
【００１９】
第５の発明は、特に、第１から第４のいずれかの発明において、前記第２の面部は、梨地またはサンドブラストによるシボを有するものである。これによって、第２の面部に視覚的な模様を有さず、第１の面部が有するシボより凹凸が小さいシボを形成することができることにより、第１の面部の幾何学模様のシボの模様と立体感が強調されるため、デザイン性をより向上させることができる。
【００２０】
以下、本発明の実施の形態について、図面を参照しながら説明する。なお、この実施の形態によって本発明が限定されるものではない。
【００２１】
（実施の形態１）
図１と図２は、本発明の実施の形態１における洗濯機の上部の斜視図である。図１は洗濯物が出し入れされる開口部を開閉自在に覆う蓋体が閉成された状態を示す図であり、図２は蓋体が開成された状態を示す図である。
【００２２】
これらの図面に示されるように、洗濯機の本体１の上面を覆う上部枠体２が設けられ、上部枠体２に設けられた洗濯物が出し入れされる開口部を開閉自在に覆う蓋体３が設けられている。蓋体３は、前蓋体４と後蓋体５とを軸支部８により連結されて折り畳み可能に構成されている。前蓋体４は、使用者が蓋体３を開閉するときに指を掛ける把手部６を備えている。後蓋体５は、透明材料で形成された窓７を備え、洗濯槽１ａの内部を視認可能にしている。また、蓋体３は、使用者が把手部６を上方に操作することで、図２に示されるように開成状態となる。これによって、使用者は洗濯槽１ａに衣類等の洗濯物を出し入れしたり、洗剤を投入したりすることが可能になる。
【００２３】
図３は、本実施の形態における洗濯機の蓋体の分解斜視図である。図４は、本実施の形態における洗濯機の蓋の蓋枠部の下面の平面図である。図５は、図２のＡ−Ａ断面図である。
【００２４】
図３に示されるように、前蓋体４は、外観に配慮して成形されるとともに着色された表側の前蓋飾り部４ａと、前蓋飾り部４ａの裏側を塞ぐように組み合わされる前蓋枠部４ｂ
と、前蓋飾り部４ａに設けられた把手部６とで構成されている。前蓋枠部４ｂには、軸支部８の支持軸８ａ（図示せず）が形成されている。後蓋体５は、透明材料で形成された窓７と、外観に配慮して成形されるとともに着色され、窓７の左右を上側から保持する後蓋飾り部５ａと、窓７の外周を裏側から保持するとともに後蓋飾り部５ａの裏側を塞ぐように組み合わされる後蓋枠部５ｂとで構成されている。後蓋枠部５ｂは、前部に軸支部８の軸受部８ｂが形成され、後部に上部枠体２と組み合わされる蓋軸支部９が形成されている。
【００２５】
前蓋体４と後蓋体５を構成する主要な部材は、複雑な形状に成形可能でデザインの多様性に適応できる、生産性が高いプラスチック成型加工品が用いられている。
【００２６】
図３に示されるように、前蓋枠部４ｂは前蓋飾り部４ａに下方から組み合わされるとともに、後蓋枠部５ｂは後蓋飾り部５ａに下方から組み合わされる。したがって、前蓋枠部４ｂと後蓋枠部５ｂの下面が蓋体３の裏側の露出面となる。そして、図４と図５に示されるように、前蓋枠部４ｂと後蓋枠部５ｂの露出面は、最下部で主要な面となる第１の面部１０（図４において、交差斜線のハッチング部分）と、第１の面部１０の輪郭の外側に形成される面である第２の面部１１（図４において、斜線のハッチング部分）とを有している。第１の面部１０は、平面として形成されるとともに、一例として図６に示されるような、幾何学模様のシボ加工が施されている。ちなみに、図６に示される幾何学模様は、ひし形の１辺３ｍｍで、３種類の異なる梨地を有する３個のひし形（ａ、ｂ、ｃ）１組で１個の６角形を形成したものが多数配列されたもので、立体的な立方体が多数配列されたように見える模様である。
【００２７】
第２の面部１１は、第１の面部１０から連続する面取り部１１ａを含む面で形成されている。第２の面部１１は、傾斜部１１ｂ、段差部１１ｃおよび傾斜部１１ｂと段差部１１ｃとを接続する面取り部１１ｄを含み、傾斜部１１ｂや段差部１１ｃに曲面部が存在していても含むものとする。そして、第２の面部１１には、第１の面部１０に施された幾何学模様のシボと比較して、視覚的な模様を有さず、凹凸が小さい微細な梨地のシボが施されている。
【００２８】
このように、第１の面部１０に幾何学模様の視覚的な模様を有するシボを施し、第２の面部１１には視覚的な模様を有さないシボや、凹凸が小さい微細なシボ、あるいはこれらの両方の特徴を備えたシボのように、異なるシボを施すことによって、幾何学模様のシボの立体感が強調され、蓋体を開いた状態でのデザイン性を向上させることができる。シボは樹脂金型への加工で形成できるため、部品点数の追加によるコストの増大を抑制することができる。
【００２９】
また、洗濯機においては水が使用されるのが当たり前であるが、幾何学模様がある程度明確な凹凸で形成されることにより、蓋体３の裏面を使用者が手で支えたときの滑り止めの作用を有することができる。また、蓋体３の裏面に水滴が付着したとき、シボの凹凸に水滴が分散して蒸発が促進され、蓋体３の裏面が乾燥しやすくなる効果も期待される。
【００３０】
なお、幾何学模様は、図６に示されたものに限定されるものではなく、種々の幾何学模様を含む。また、第１の面部１０と第２の面部１１に幾何学模様を連続的に形成されることは構わない。この場合、面取り部分において、幾何学模様のハイライト部分が乱反射によりギザギザのラインになってしまうことがある。また、面取り部分だけを第２の面部１１とし、傾斜部１１ｂや段差部１１ｃを含む平面を主要な面となる第１の面部１０として、第２の面部１１だけに凹凸が小さい微細なシボが形成されても構わない。この場合、幾何学模様が途切れたパッチワーク状態になってしまう。これらの構成でも、幾何学模様により高級感を発揮することができる。
【００３１】
しかしながら、本実施の形態のように、主要な面である第１の面部１０と、それ以外の第２の面部１１とを分けて、第１の面部１０にだけ幾何学模様が形成されることにより、蓋体３は、よりデザイン性が向上するとともに、より高級感を発揮することができる。
【００３２】
樹脂部品にシボを形成する方法としては、主に金型に加工を施すことになるが、その方法は特に限定するものではない。しかし、金型に幾何学模様を形成するのは、エッチングによる化学処理が微細な加工が可能であり望ましい。また、第２の面部１１のシボは、金型で形成された梨地として説明したが、サンドブラストで直接加工されてもよい。
【産業上の利用可能性】
【００３３】
以上のように、本発明にかかる洗濯機は、部品点数の追加によるコストの増大をすることなく、蓋体を開いた状態でのデザイン性を高めることが可能となるので、ドラム式の洗濯機や乾燥機の蓋体にも適用することができる。
【符号の説明】
【００３４】
１  本体
１ａ  洗濯槽
２  上部枠体
２ａ  開口部
３  蓋体
４  前蓋体
４ｂ  前蓋枠部
５  後蓋体
５ｂ  後蓋枠部
６  把手部
７  窓
８  軸支部
１０  第１の面部
１１  第２の面部
１１ａ、１１ｄ  面取り部
１１ｂ  傾斜部
１１ｃ  段差部
【図１】
2016101316.tif 000003
【図２】
2016101316.tif 000004
【図３】
2016101316.tif 000005
【図４】
2016101316.tif 000006
【図５】
2016101316.tif 000007
【図６】
2016101316.tif 000008
【図７】
2016101316.tif 000009
【図８】
2016101316.tif 000010
【図９】
2016101316.tif 000011